(57)【要約】  本発明は、粒子主にキンギンカ、ジャショウシ、カンジュウ、海塩、ジフシ、シツリシ、古根ショウガ、黒糖、ふすま、火山性土、蒸留木酢液、及び環境に優しい雌性ホルモンなどの原材料から調製される汚水活性化粒子及びその調製方法を提供する。調製する時にキンギンカ、ジャショウシ、カンジュウ、海塩、ジフシ、シツリシ、古根ショウガ、黒糖を粉砕した後に混合して均一に撹拌し、蒸留木酢液、環境に優しい雌性ホルモンを混合して得られた澄明溶液に流し込み、さらに２００メッシュの篩で濾過した後の火山性土を加え、均一に撹拌し、最後にふすまを振りかけ、球状に練り込み、木製の棚に置き、環境温度を摂氏３７度程度に保持し、１５−３０日後に球体の表面が白色になると使用できる。本発明は、水流の作用で河川の隅々に至り、緩やかに溶解して放出され、汚水中の有益微生物を効果的に増加させ、汚水を改善して活性化させ、汚水の臭気を効果的に除去する。【特許請求の範囲】
【請求項１】
キンギンカ１．５−２．５％、ジャショウシ１．５−２．５％、カンジュウ１．５−２．５％、海塩１．５−２．５％、ジフシ１．５−２．５％、シツリシ１．５−２．５％、古根ショウガ１．５−２．５％、黒糖１４−１８％、ふすま８−１２％、火山性土１５−２０、蒸留木酢液２０−２５％、環境に優しい雌性ホルモン２０−２５％の重量パーセントの原料から調製されることを特徴とする、汚水活性化粒子。
【請求項２】
前記環境に優しい雌性ホルモンは、アスパラガス、トマト、エンドウ、ニンジン、ジャガイモ、キクイモ、レンコンのうちの１つ又は複数を漬けて発酵させ、濾過しアルコール化して抽出した活性酵素であることを特徴とする、請求項１に記載の汚水活性化粒子。
【請求項３】
（１）重量パーセント１．５−２．５％のキンギンカ、重量パーセント１．５−２．５％のジャショウシ、重量パーセント１．５−２．５％のカンジュウ、重量パーセント１．５−２．５％の海塩、重量パーセント１．５−２．５％のジフシ、重量パーセント１．５−２．５％のシツリシ、重量パーセント１．５−２．５％の古根ショウガ、重量パーセント１４−１８％の黒糖を粉枠し、混合して均一に撹拌するステップと、
（２）重量パーセント２０−２５％の蒸留木酢液、重量パーセント２０−２５％の環境に優しい雌性ホルモンを取って混合して撹拌し、清澄化するステップと、
（３）２００メッシュの篩で火山性土を濾過し、濾過した後の重量パーセント１５−２０％の火山性土をステップ（１）の混合物に加え、均一に撹拌するステップと、
（４）ステップ（３）の混合物をステップ（２）の澄明溶液に流し込み、重量パーセント８−１２％のふすまを振りかけ、球状に練り込むステップと、
（５）木製の棚に置き、環境温度を摂氏３６．５−３７度に保持し、１５−３０日後に、球体の表面が白色になると、使用できるステップと、を含むことを特徴とする、請求項１に記載の汚水活性化粒子の調製方法。
【発明の詳細な説明】
【技術分野】
【０００１】
本発明は、汚水処理分野に関し、特に汚水活性化粒子及びその調製方法に関する。
【背景技術】
【０００２】
汚水は通常、ある程度汚染された生活排水と生産排水のことをいう。汚水には主として生活排水、産業廃水及び初期雨水がある。汚水の主な汚染物としては、病原体、酸素消費物質、植物栄養素、有毒物などがある。地表水の汚染は顕在化しているものの、地下水の汚染は目に見えなくとも驚くほどである。「２０１３−２０１７年の中国汚水処理業界における市場動向と投資・戦略計画に関する分析報告書」においては、中国の１３億人口のうち、７０％は地下水を飲用しており、６６０あまりの都市のうち、４００あまりの都市では地下水を飲用水源としていることが提示されている。それにもかかわらず、中国の都市部地下水の９０％はすでに汚染されているという。
【０００３】
中国市町部の汚水処理場では、汚泥の一次削減はほぼ実現されているが、投入コストが高すぎるため、小さい河川、渓流などに適さず、特に農業用養魚池や水路に適しないため、これらの、汚染されやすく処理が困難な水域に関しては、人々の環境保護意識に頼るしかない。
【発明の概要】
【０００４】
本発明は、化学成分を全く含まない汚水活性化粒子及びその調製方法を提供し、汚水中の有益微生物を効果的に増加させ、有害物質を分解し、臭気を除去することを目的とする。
【０００５】
上記目的を達成するために、本発明は以下の技術的解決手段を採用する。
【０００６】
汚水活性化粒子であって、キンギンカ１．５−２．５％、ジャショウシ１．５−２．５％、カンジュウ１．５−２．５％、海塩１．５−２．５％、ジフシ１．５−２．５％、シツリシ１．５−２．５％、古根ショウガ１．５−２．５％、黒糖１４−１８％、ふすま８−１２％、火山性土１５−２０、蒸留木酢液２０−２５％、環境に優しい雌性ホルモン２０−２５％の重量パーセントの原料から調製される。
【０００７】
上記解決手段においては、環境に優しい雌性ホルモンは、アスパラガス、トマト、エンドウ、ニンジン、ジャガイモ、キクイモ、レンコンのうちの１つ又は複数を漬けて発酵させ、濾過しアルコール化して抽出した活性酵素であり、ここで、野菜３部、水１０部、黒糖１部の比で３か月以上連続して漬けて発酵させる。
【０００８】
汚水活性化粒子の調製方法であって、
（１）重量パーセント１．５−２．５％のキンギンカ、重量パーセント１．５−２．５％のジャショウシ、重量パーセント１．５−２．５％のカンジュウ、重量パーセント１．５−２．５％の海塩、重量パーセント１．５−２．５％のジフシ、重量パーセント１．５−２．５％のシツリシ、重量パーセント１．５−２．５％の古根ショウガ、重量パーセント１４−１８％の黒糖を粉枠し、混合して均一に撹拌するステップと、
（２）重量パーセント２０−２５％の蒸留木酢液、重量パーセント２０−２５％の環境に優しい雌性ホルモンを混合して撹拌し、清澄化するステップと、
（３）２００メッシュの篩で火山性土を濾過し、濾過した後の重量パーセント１５−２０％の火山性土をステップ（１）の混合物に加え、均一に撹拌するステップと、
（４）ステップ（３）の混合物をステップ（２）の澄明溶液に流し込み、重量パーセント８−１２％のふすまを振りかけ、球状に練り込むステップと、
（５）木製の棚に置き、環境温度を摂氏３６．５−３７度に保持し、１５−３０日後に、球体の表面が白色になると、使用できるステップと、を含む。
【０００９】
本発明の利点は以下のとおりである。
【００１０】
１．汚染された水域に汚水活性化粒子を投入すると、水流の作用で活性化粒子は緩やかに溶解し、活性化物質を放出し、汚水中の有益微生物を増加させ、有害物質を分解し、悪臭を除去し、二次汚染を効果的に防止する。
【００１１】
２．汚水活性化粒子１つで約２０リットル又は１Ｍ３の汚水を浄化することができ、週に１回投入し、１周目は汚水がさらに臭くなるが、２周目から回復に転じ、１か月後に、汚水は自然な状態に戻り、低コストであり、効き目が速い。
【００１２】
３．全成分は漢方薬であり、副作用がなく、環境に優しい雌性ホルモンは陽性の汚水と対応しており、陰陽の理論と合致し、それにより汚水の各属性のバランスを図る。
【００１３】
４．有機物分解時の化学的酸素要求量を抑え、ＣＯＤ指数を低下させる。
【発明を実施するための形態】
【００１４】
次に、実施例を踏まえて本発明についてさらに説明する。
【実施例】
【００１５】
実施例１
汚水活性化粒子であって、
キンギンカ２．５％、ジャショウシ２．５％、カンジュウ２．５％、海塩２．５％、ジフシ２．５％、シツリシ２．５％、古根ショウガ２．５％、黒糖１７％、ふすま８％、火山性土１７．５％、蒸留木酢液２０％、環境に優しい雌性ホルモン２０％の原料から調製される。
【００１６】
上記解決手段においては、環境に優しい雌性ホルモンはアスパラガス、トマト、エンドウ、ニンジン、ジャガイモ、キクイモ、レンコンのうちの１つ又は複数を漬けて発酵させ、濾過しアルコール化して抽出した活性酵素である。
【００１７】
汚水活性化粒子の調製方法であって、
（１）重量パーセント２．５％のキンギンカ、重量パーセント２．５％のジャショウシ、重量パーセント２．５％のカンジュウ、重量パーセント２．５％の海塩、重量パーセント２．５％のジフシ、重量パーセント２．５％のシツリシ、重量パーセント２．５％の古根ショウガ、重量パーセント１７％の黒糖を粉枠し、混合して均一に撹拌するステップと、
（２）重量パーセント２５％の蒸留木酢液、重量パーセント２５％の環境に優しい雌性ホルモンを混合して撹拌し、清澄化するステップと、
（３）２００メッシュの篩で火山性土を濾過し、濾過した後の重量パーセント１７．５％の火山性土をステップ（１）の混合物に加え、均一に撹拌するステップと、
（４）ステップ（３）の混合物をステップ（２）の澄明溶液に流し込み、重量パーセント８％のふすまを振りかけ、球状に練り込むステップと、
（５）木製の棚に置き、環境温度を摂氏３６．５度に保持し、２５日後に、球体の表面が白色になると、使用できるステップとを含む。
【００１８】
実施例２
汚水活性化粒子であって、
キンギンカ２％、ジャショウシ２％、カンジュウ２％、海塩２％、ジフシ２％、シツリシ２％、古根ショウガ２％、黒糖１５％、ふすま１２％、火山性土１５％、蒸留木酢液２２％、環境に優しい雌性ホルモン２２％などの原料から調製される。
【００１９】
２．請求項１に記載の汚水活性化粒子であって、前記環境に優しい雌性ホルモンはアスパラガス、トマト、エンドウ、ニンジン、ジャガイモ、キクイモ、レンコンのうちの１つ又は複数を漬けて発酵させ、濾過しアルコール化して抽出した活性酵素であることを特徴とする。
【００２０】
３．汚水活性化粒子の調製方法であって、
（１）重量パーセント２％のキンギンカ、重量パーセント２％のジャショウシ、重量パーセント２％のカンジュウ、重量パーセント２％の海塩、重量パーセント２％のジフシ、重量パーセント２％のシツリシ、重量パーセント２％の古根ショウガ、重量パーセント１６％の黒糖を粉枠し、混合して均一に撹拌するステップと、
（２）重量パーセント２２％の蒸留木酢液、重量パーセント２２％の環境に優しい雌性ホルモンを混合して撹拌し、澄明化するステップと、
（３）２００メッシュの篩で火山性土を濾過し、濾過した後の重量パーセント１５％の火山性土をステップ（１）の混合物に加え、均一に撹拌するステップと、
（４）ステップ（３）の混合物をステップ（２）の澄明溶液に流し込み、重量パーセント１２％のふすまを振りかけ、球状に練り込むステップと、
（５）木製の棚に置き、環境温度を摂氏３７度に保持し、２０日後に、球体の表面が白色になると、使用できるステップと、を含むことを特徴とする。
【００２１】
実施例３
汚水活性化粒子であって、
キンギンカ１．５％、ジャショウシ１．５％、カンジュウ１．５％、海塩１．５％、ジフシ１．５％、シツリシ１．５％、古根ショウガ１．５％、黒糖１７．５％、ふすま１０％、火山性土２０％、蒸留木酢液２１％、環境に優しい雌性ホルモン２１％の原料から調製される。
【００２２】
２．請求項１に記載の汚水活性化粒子であって、
前記環境に優しい雌性ホルモンはアスパラガス、トマト、エンドウ、ニンジン、ジャガイモ、キクイモ、レンコンのうちの１つ又は複数を漬けて発酵させ、濾過しアルコール化して抽出した活性酵素であることを特徴とする。
【００２３】
３．汚水活性化粒子の調製方法であって、
（１）重量パーセント１．５％のキンギンカ、重量パーセント１．５％のジャショウシ、重量パーセント１．５％のカンジュウ、重量パーセント１．５％の海塩、重量パーセント１．５％のジフシ、重量パーセント１．５％のシツリシ、重量パーセント１．５％の古根ショウガ、重量パーセント１７．５％の黒糖を粉枠し、混合して均一に撹拌するステップと、
（２）重量パーセント２０％の蒸留木酢液、重量パーセント２０％の環境に優しい雌性ホルモンを混合して撹拌し、澄明化するステップと、
（３）２００メッシュの篩で火山性土を濾過し、濾過した後の重量パーセント２０％の火山性土をステップ（１）の混合物に加え、均一に撹拌するステップと、
（４）ステップ（３）の混合物をステップ（２）の澄明溶液に流し込み、重量パーセント１０％のふすまを振りかけ、球状に練り込むステップと、
（５）木製の棚に置き、環境温度を摂氏３７度に保持し、１５日後に、球体の表面が白色になると、使用できるステップと、を含むことを特徴とする。
【００２４】
３つのサンプルを測定し、３０日中に実施例１の汚水活性化粒子が捺染廃水の化学的酸素要求量（ＣＯＤ）に与える影響を検討し、結果は表１のとおりである：
【００２５】
【表１】
2017507769.tif 000002
【００２６】
比較したところ、本発明の汚水の活性化粒子を好気性捺染廃水に投入すると、そのＣＯＤ指数が著しく低下し、分解率が７０．６％に上がり、その色度と臭気に大きな変化があったことが判明した。汚水の活性化粒子に含まれる微生物及び活性酵素により有機物分解時の化学的酸素要求量に対して高い抑制効果があることを表している。
【００２７】
排水溝から水を収集し、水質測定を行い、約３０日中に、実施例２の汚水活性化粒子が水質に与える影響を検討し、結果は表２のとおりである：
（ｐＨ及び明記する項目を除き、単位はｍｇ／Ｌ）
【００２８】
【表２】
2017507769.tif 000003
【００２９】
表２の測定結果では、「ＮＤ」は未検出を表している。該水質サンプルの３０日中と６０日中の各測定データの変化を把握することができる。ｐＨでは、弱酸から弱アルカリに変わった；水中のアンモニア態窒素、全窒素、リン酸塩及び各種の重金属の相対的含有量が低減した；変化が最も顕著なのは化学的酸素要求量であった。
【００３０】
無論、上記実施例は本発明の技術的解決手段の説明のみに用いられ、それを限定するためのものではない。本発明の要旨及び範囲から離れずに行われるすべての修正または局所的な置換は、本発明の特許請求の範囲内に含まれるものとする。
【国際調査報告】
2017507769.tif 000004
2017507769.tif 000005
2017507769.tif 000006
2017507769.tif 000007